(57)【要約】【課題】  移動手摺と可動保護片の間の隙間に異物が入ったときに外れた可動保護片が、異物の撤収によって従前位置に自動復帰する乗客コンベヤーの欄干装置を得る。【解決手段】  移動手摺４と可動保護片１３の隙間における異物の挟み込み発生時に、可動保護片１３が弾性保持具１４による保持力に抗し、保護体１０から外れて移動手摺４から離れる。これにより、例えば幼児が隙間に指先を挿入したときに、可動保護片１３が変位するので幼児が驚いて手を引き、隙間への指先の挟み込みを防ぐ。また、隙間に異物がなくなると可動保護片１３が弾性保持具１４により従前位置に自動復帰する。  このため異物の挟み込み後に、可動保護片１３を保護体１０に再嵌合する手数を省き、また可動保護片１３が保護体１０から脱落せず従前位置復帰作業を迅速化する。【選択図】        図２
2006021912.tif 000002
【特許請求の範囲】
【請求項１】
主枠の幅方向の縁部に立設されて上記主枠の長手に沿って配置された欄干と、この欄干に摺動自在に係合されて上記欄干の基部における長手端面に設けられた進入孔に進入する移動手摺と、一端が上記欄干の長手端面側に配置され上記移動手摺の長手に沿う方向に突設されて上記移動手摺の横断面における外周を空隙を形成して囲んで配置され、かつ下側に上記移動手摺の長手方向に沿って形成された切欠形状の空所を有する粘弾性材製の保護体と、粘弾性材からなり上記保護体の空所を塞ぐ形態をなす可動保護片と、一側が上記欄干の基部寄りに装着され他側は上記可動保護片に装着されて通常時において上記可動保護片を上記保護体の空所を塞ぐ位置に保持し、上記移動手摺及び可動保護片の間に異物が挟まれることによって弾性変形して、上記移動手摺から離れる方向に上記可動保護片を変位させる弾性保持具とを備えた乗客コンベヤーの欄干装置。
【請求項２】
可動保護片を、保護体の粘弾性材よりも軟質の粘弾性材によって製作されたものとしたことを特徴とする請求項１記載の乗客コンベヤーの欄干装置。
【請求項３】
可動保護片を、欄干の反長手端面側の突出端に突壁が設けられて、この突壁の上端に丸みが構成され、移動手摺の外面に対して空隙を形成して配置されたものとしたことを特徴とする請求項１及び請求項２のいずれか一つに記載の乗客コンベヤーの欄干装置。
【請求項４】
弾性保持具を、ねじりコイルばね及びピンからなるばね付き蝶番機構によって構成されたものとしたことを特徴とする請求項１〜請求項３のいずれか一つに記載の乗客コンベヤーの欄干装置。
【発明の詳細な説明】
【技術分野】
【０００１】
この発明は、エスカレーター又は移動歩道の主枠の長手に沿って欄干が立設され、欄干の上側を移動手摺が摺動して欄干基部の長手端面の進入孔に進入する乗客コンベヤーの欄干装置に関する。
【背景技術】
【０００２】
従来の乗客コンベヤーの欄干装置においては、主枠の長手に沿う欄干の基部における長手端面に設けられた移動手摺の導入孔付近に、移動手摺と導入孔との間に若干の隙間をもたせて移動手摺を包み込むが如く構成された移動手摺ガードを設ける。そして、移動手摺と移動手摺ガードの隙間に人の指先等が挟み込まれたときに、移動手摺ガードの着脱ガードが脱落するように構成にしている。これによって、例えば幼児が移動手摺と移動手摺ガードの両者間の隙間に指先を挿入したときに、着脱ガードが脱落することによって幼児が驚いて手を引くようにして、上記両者間の隙間に指先が挟み込まれて挟圧されることを防ぐ構造になっている。（特許文献１参照）。
【０００３】
【特許文献１】実公昭５２−３４７９６号公報（第１頁、第１図）
【発明の開示】
【発明が解決しようとする課題】
【０００４】
従来の乗客コンベヤーの欄干装置では、幼児等が上記両者間の隙間に指先を挿入したときに、着脱ガードが脱落して指先の挟圧を防止する構造であるものの、脱落した着脱ガードを移動手摺ガードに再装着するために手数が掛かり、また着脱ガードが脱落した状態で放置されると、その間に移動手摺と移動手摺ガードの隙間に再び指先が挿入されて指先が挟圧される不具合が生じたり、脱落した着脱ガードが紛失したりするという問題点があった。
【０００５】
この発明は、かかる問題点を解消するためになされたものであり、移動手摺と移動手摺ガードの間の隙間に異物が入ったときに外れた着脱ガードが、異物の撤収によって従前位置に自動復帰する乗客コンベヤーの欄干装置を得ることを目的とする。
【課題を解決するための手段】
【０００６】
この発明に係る乗客コンベヤーの欄干装置においては、主枠の幅方向の縁部に立設されて主枠の長手に沿って配置された欄干と、この欄干に摺動自在に係合されて欄干の基部における長手端面に設けられた進入孔に進入する移動手摺と、一端が欄干の長手端面側に配置されて移動手摺の長手に沿う方向に突設されて移動手摺の横断面における外周を空隙を形成して囲んで配置され、かつ下側に移動手摺の長手方向に沿って形成された切欠形状の空所を有する粘弾性材製の保護体と、粘弾性材からなり保護体の空所を塞ぐ形態をなす可動保護片と、一側が欄干の基部寄りに装着され他側は可動保護片に装着されて、通常時において可動保護片を保護体の空所を塞ぐ位置に保持し、移動手摺及び可動保護片の間に異物が挟まれることによって弾性変形して移動手摺から離れる方向に可動保護片を変位させる弾性保持具とが設けられる。
【発明の効果】
【０００７】
この発明による乗客コンベヤーの欄干装置は、移動手摺及び可動保護片の両方の間の隙間に人の指先等の異物が挟み込まれたときに、可動保護片が弾性保持具による移動手摺に近づく方向の保持力に抗し、保護体から外れて移動手摺から離れる方向に変位する。これによって、例えば幼児が上記両方の隙間に指先を挿入したときに、可動保護片が変位することによって幼児が驚いて手を引き、上記両方の隙間に指先が挟み込まれて挟圧されることを防ぐことができる。また、上記両方の隙間から異物が撤収されることによって変位した可動保護片が、弾性保持具による移動手摺に近づく方向への付勢力によって従前位置に自動復帰する。
【０００８】
このため、上記両方の隙間に異物が挟み込まれた後に、可動保護片を保護体に再嵌合する手数を軽減する効果がある。また、可動保護片が保護体から外れた状態で放置されることがなく、保護体と移動手摺の隙間に再度異物が挟み込まれる不具合の発生を未然に防ぐ効果がある。さらに、変位した可動保護片が保護体から脱落することがなく、可動保護片が紛失して従前位置復帰作業が遅滞することがない。したがって、異物が挟み込まれる不具合が発生したときの対処を迅速化する効果がある。
【発明を実施するための最良の形態】
【０００９】
実施の形態１．
図１〜図４は、この発明の実施の形態を示す図で、図１は乗客コンベヤーの長手端部の側面図、図２は図１のＡ部拡大図、図３は図２のＢ−Ｂ線断面拡大図、図４は図３における可動保護片の変位状態を説明する図である。図において、主枠１の幅方向の縁部に欄干２が立設されて主枠１の長手に沿って配置され、また主枠１の長手端に乗降口３が設けられる。そして、移動手摺４が欄干２の外周に摺動自在に係合されて欄干２の基部における長手端面５に設けられた進入孔６に進入する。
【００１０】
また、欄干２の長手端面５内側にＬ字形状のスライダー７が設けられ、またスライダー７は下面に枢着された転輪８によって移動手摺４の長手に沿う方向に移動自在に装備される。そして、欄干２の長手端面５内にスライダー７の反乗降口３側の端部によって押圧される検出スイッチ９が設けられる。また、ゴム等の粘弾性材製の保護体１０の一端がスライダー７のＬ字の立面に締結されて欄干２の長手端面５側に配置され、移動手摺４の長手に沿う方向に突設されて移動手摺４の横断面における外周を空隙を形成して囲んで配置される。
【００１１】
そして、保護体１０の下側に移動手摺４の長手方向に沿って形成された切欠形状の空所１１が設けられ、空所１１開口部側壁には側壁の高さ方向の中間が突出した嵌合部１２が形成される。また、ゴム等の粘弾性材製の可動保護片１３が保護体１０の空所１１を塞ぐ形態に製作されて、空所１１開口部側壁に対向する端面には空所１１の嵌合部１２に嵌合する嵌合溝が設けられる。
【００１２】
また、可動保護片１３の欄干２の長手端面５寄りの端面に対面する保護体１０の端面の下端部には、下端が欄干２の長手端面５寄りに後退する切欠き斜面１０ａが設けられる。そして、可動保護片１３が図４に示す位置に変位するときの保護体１０の端面との接触が切欠き斜面１０ａによって回避される。なお、可動保護片１３は保護体１０よりも軟質の粘弾性材によって製作される。
【００１３】
また、板ばねからなる弾性保持具１４が保護体１０及び可動保護片１３の下部に埋設状態に設けられ、一側が保護体１０における欄干２の基部長手端面５寄りに装着され、他側は可動保護片１３に装着される。そして、弾性保持具１４は平板状態のものを長手中間が上昇した湾曲形態に変形させて、保護体１０及び可動保護片１３の下部に埋設状態に装備される。これによって、可動保護片１３が図２において上方に常時付勢される。なお、移動手摺４の外面と、保護体１０及び可動保護片１３の双者の内側との間に隙間１５が形成される。
【００１４】
上記のように構成された乗客コンベヤーの欄干装置において、欄干２が主枠１の幅方向の縁部に主枠１の長手に沿って立設されて、移動手摺４が欄干２の外周に沿って移動し欄干２の長手端面５の進入孔６に進入する。そして、欄干２の長手端面５に保護体１０が突設される。また、可動保護片１３が保護体１０の下側の空所１１に配置され、通常時において可動保護片１３の嵌合溝を空所１１の嵌合部１２に嵌合して空所１１を塞ぐ位置に保持されて図２に示す状態となる。
【００１５】
これにより、上記双者によって形成された貫通空所に移動手摺４が挿通されて、上記双者の内側と移動手摺４外面の間に隙間１５が形成される。なお、可動保護片１３は通常時において弾性保持具１４によって移動手摺４に近づく方向に付勢され、また通常時においてスライダー７は欄干２の長手端面５に接近した位置に保持されて、検出スイッチ９はスライダー７によって押圧されない位置に配置されて非動作状態となる。
【００１６】
そして今、隙間１５に人の指先等の異物が挟み込まれたとすると、可動保護片１３は嵌合溝と保護体１０の嵌合部１２の嵌合による保持力及び弾性保持具１４による移動手摺４に近づく方向の保持力に抗し、保護体１０から外れて移動手摺４から離れる方向に変位する。そして、このときに弾性保持具１４は弾性変形して図４に示す状態となる。これによって、例えば幼児が隙間１５に指先を挿入したときに、可動保護片１３が変位することによって幼児が驚いて手を引き、隙間１５に指先が挟み込まれて挟圧されることを防ぐことができる。
【００１７】
また、隙間１５から異物が撤収されることによって可動保護片１３が、弾性保持具１４の移動手摺４に近づく方向への付勢力によって従前位置に自動復帰する。このため、隙間１５に異物が挟み込まれた後に、可動保護片１３を保護体１０に再嵌合する手数を省くことができる。また、可動保護片１３が保護体１０から外れた状態で放置されることがなく、保護体１０と移動手摺４の隙間に再度異物が挟み込まれる不具合の発生を未然に防ぐことができる。
【００１８】
なお、隙間１５に異物が挟み込まれた状態で、異物が移動手摺４と共に欄干２の長手端面５方向に移動した場合には、異物が保護体１０に当たって保護体１０を介してスライダー７が欄干２の長手端面５から離れる方向に移動する。このため、スライダー７によって検出スイッチ９が押圧されて動作し、この検出スイッチ９が動作を介して乗客コンベヤーの運転を停止する等の異常時制御が行われる。
【００１９】
また、変位した可動保護片１３が保護体１０から脱落することがなく、可動保護片１３が紛失して従前位置復帰作業が遅滞することがない。このため、異物が挟み込まれる不具合の発生に迅速に対応することができる。また、可動保護片１３を保護体１０よりも軟質の粘弾性材によって製作することよって、隙間１５に人の指先等の異物が挟み込まれたときの挟圧作用を軽減することができる。
【００２０】
実施の形態２．
図５は、この発明の他の実施の形態を示す図で、前述の図３のＣ−Ｃ線断面に相当する図である。なお、図５の他は前述の図１〜図４と同様に乗客コンベヤーの欄干装置が構成される。図において、図１〜図４と同符号は相当部分を示し、可動保護片１３における欄干２の反長手端面５側の突出端に突壁１６が設けられる。そして、突壁１６の上端に丸み１７が構成されて、移動手摺４の外面に対して隙間１５を形成して配置される。
【００２１】
上記のように構成された乗客コンベヤーの欄干装置においても、保護体１０及び可動保護片１３の双者の内側と移動手摺４の外面の間の隙間１５に人の指先等の異物が挟み込まれたときに、弾性保持具１４が弾性変形して保護体１０から可動保護片１３が外れて移動手摺４から離れる方向に変位する。したがって、詳細な説明を省略するが図５の実施の形態においても図１〜図４の実施の形態と同様な作用が得られる。また、図５の実施の形態において、可動保護片１３の突出端側に上端に丸み１７が形成された突壁１６が設けられるので、隙間１５に人の指先等の異物が挟み込まれたときの挟圧作用を軽減することができる。
【００２２】
実施の形態３．
図６〜図８も、この発明の他の実施の形態を示す図で、図６は前述の図２における保護体及び可動保護片箇所に相当する図、図７は図６の底面図、図８は図６における可動保護片の変位状態を説明する図である。なお、図６〜図８の他は前述の図１〜図４と同様に乗客コンベヤーの欄干装置が構成される。図において、図１〜図４と同符号は相当部分を示す。
【００２３】
そして、弾性保持具１８がねじりコイルばね及び枢着ピンからなるばね付き蝶番機構によって構成されて、弾性保持具１８の一側が保護体１０の下部に、他側は可動保護片１３の下部にそれぞれ埋設状態に装着される。なお、弾性保持具１８は保護体１０等に装着した状態で、図６において上方へ可動保護片１３を常時押圧する力が作用するように製作される。これによって、通常時に可動保護片１３が保護体１０の空所１１を塞ぐ位置に保持されて図６に示す状態となる。
【００２４】
上記のように構成された乗客コンベヤーの欄干装置においても、保護体１０及び可動保護片１３の双者の内側との間の隙間１５に人の指先等の異物が挟み込まれたときに、弾性保持具１８が弾性変形して保護体１０から可動保護片１３が外れて図８に示すように移動手摺４から離れる方向に変位する。したがって、詳細な説明を省略するが図６〜図８の実施の形態においても図１〜図４の実施の形態と同様な作用が得られる。
【図面の簡単な説明】
【００２５】
【図１】この発明の実施の形態１を示す図であり、乗客コンベヤーの長手端部の側面図。
【図２】図１のＡ部拡大図。
【図３】図２のＢ−Ｂ線断面拡大図。
【図４】図３における可動保護片の変位状態を説明する図。
【図５】この発明の実施の形態２を示す図であり、図３のＣ−Ｃ線断面に相当する図。
【図６】この発明の実施の形態３を示す図で、図２における保護体及び可動保護片箇所に相当する図。
【図７】図６の底面図。
【図８】図６における可動保護片の変位状態を説明する図。
【符号の説明】
【００２６】
１  主枠、２  欄干、４  移動手摺、５  長手端面、６  進入孔、１０  保護体、１１  空所、１３  可動保護片、１４  弾性保持具、１６  突壁、１７  丸み、１８  弾性保持具。
【図１】
2006021912.tif 000003
【図２】
2006021912.tif 000004
【図３】
2006021912.tif 000005
【図４】
2006021912.tif 000006
【図５】
2006021912.tif 000007
【図６】
2006021912.tif 000008
【図７】
2006021912.tif 000009
【図８】
2006021912.tif 000010